(57)【特許請求の範囲】
【請求項１】
多角形状の平板体の周縁部を被覆する枠体であって、
該枠体の長手方向の先端及び後端には、隣接した前記枠体における先端の係止部と後端の係止部とを嵌合させて首尾連結される係止部が設けられており、
前記係止部は、隣接する相手側の端部に設けられた係合突起を係止する係止孔と、前記相手側の端部に設けられた係止孔に嵌合する係止突起とが設けられ、
前記先端の係止部における枠体の本体部分において長手方向に沿った両端部から略直交して延設された側部の内側端部には、連結される相手側枠体における側部の外側端部に形成された係合用凹部と密に接合される係合用凹部が設けられて形成されているとともに、
前記後端の係止部における枠体の本体部分において長手方向に沿った両端部から略直交して延設された側部の外側端部には、連結される相手側枠体における側部の内側端部に形成された係合用凹部と密に接合される係合用凹部が設けられて形成されていること、
を特徴とするボード用枠体。
【請求項２】
多角形状の平板体の周縁部を被覆する枠体であって、
該枠体の長手方向の先端及び後端には、隣接した前記枠体を首尾連結させる係止部が設けられ、
一方の係止部には、一様な断面Ｌ字型をした本体部分の底部の端から長手方向に沿って嵌合突起と嵌合凹部とが設けられると共に、該本体部分の側壁の端から略上半分において長手方向に対する直交方向に段差を持った爪部が延設され、該側壁の下端部から底部の長手方向の移動を阻止するが移動阻止部材が設けられ、
他方の係止部には、側壁の端部の略上半分において前記一方の係止部における爪部に対応する爪用凹部が設けられ、一様な断面Ｌ字型をした本体部分の底部の端から長手方向に対する直交方向に沿って前記一方の係止部における嵌合突起と嵌合凹部とに各々対応する嵌合凹部と嵌合突起とが設けられ、及び、前記一方の係止部の移動阻止部材に係合する移動阻止係合部材が設けられていること、
を特徴とするボード用枠体
【請求項３】
ボード貼着対象部材の表面に仕上げ材取付け用のフックを所要数で所定の間隔毎に互いに背向させて配設し、該フック間に請求項１若しくは請求項２に記載のボード用枠体で周縁部が被覆された仕上げ材を嵌装させ、フックの端面開口部にカバーを閉蓋すること、
を特徴とする仕上げ材の敷設方法。
【発明の詳細な説明】
【０００１】
【発明の属する技術分野】
本発明は、所要厚さで多角形状の平板体（例えば、天井面や壁面の仕上げ用ボード）の周縁部を被覆且つ支持する枠体と仕上げ材の敷設方法に関する。
【０００２】
【従来の技術】
従来、所要厚さで多角形状の仕上げ用ボードを、天井、床、壁等の壁面に取り付ける場合、例えば、天井材にする場合では、埋込みボルト等をスラブ下面に取り付けて吊り金具を懸吊させ、その吊り金具に水平な取付部材を架設して、ボードを取り付けて二重天井にしているのが知られている。
【０００３】
【発明が解決しようとする課題】
しかしながら、前記ボードは市販の定型のものを使用するが、例えば、新しい材料により小区画したボードである場合には、そのボード専用の取り付け金具を用意しなければならない。また、新規ボードが四角形以外の六角形等の多角形に形成されている場合などは、特殊形状の取り付け金具が必要となりコストが嵩むことになる。本発明に係る枠材と仕上げ材の敷設方法は、このような課題を解消するために提案されるものである。
【０００４】
【課題を解決するための手段】
本発明に係るボード用枠体の上記課題を解決するための要旨は、多角形状の平板体の周縁部を被覆する枠体であって、該枠体の長手方向の先端及び後端には、隣接した前記枠体における先端の係止部と後端の係止部とを嵌合させて首尾連結される係止部が設けられており、
前記係止部は、隣接する相手側の端部に設けられた係合突起を係止する係止孔と、前記相手側の端部に設けられた係止孔に嵌合する係止突起とが設けられ、前記先端の係止部における枠体の本体部分において長手方向に沿った両端部から略直交して延設された側部の内側端部には、連結される相手側枠体における側部の外側端部に形成された係合用凹部と密に接合される係合用凹部が設けられて形成されているとともに、前記後端の係止部における枠体の本体部分において長手方向に沿った両端部から略直交して延設された側部の外側端部には、連結される相手側枠体における側部の内側端部に形成された係合用凹部と密に接合される係合用凹部が設けられて形成されていることである。
【０００６】
本発明に係る仕上げ材の敷設方法は、ボード貼着対象部材の表面に仕上げ材取付け用のフックを所要数で所定の間隔毎に互いに背向させて配設し、該フック間にボード用枠体で周縁部が被覆された仕上げ材を嵌装させ、フックの端面開口部にカバーを閉蓋することである。
【０００７】
本発明のボード用枠体の要旨は、多角形状の平板体の周縁部を被覆する枠体であって、該枠体の長手方向の先端及び後端には、隣接した前記枠体を首尾連結させる係止部が設けられ、一方の係止部には、一様な断面Ｌ字型をした本体部分の底部の端から長手方向に沿って嵌合突起と嵌合凹部とが設けられると共に、該本体部分の側壁の端から略上半分において長手方向に対する直交方向に段差を持った爪部が延設され、該側壁の下端部から底部の長手方向の移動を阻止するが移動阻止部材が設けられ、他方の係止部には、側壁の端部の略上半分において前記一方の係止部における爪部に対応する爪用凹部が設けられ、一様な断面Ｌ字型をした本体部分の底部の端から長手方向に対する直交方向に沿って前記一方の係止部における嵌合突起と嵌合凹部とに各々対応する嵌合凹部と嵌合突起とが設けられ、及び、前記一方の係止部の移動阻止部材に係合する移動阻止係合部材が設けられていることである。
【０００８】
本発明に係る第１実施例のボード用枠体によれば、例えば、ベニヤ板，パーチクルボード，木炭製等の新素材ボード等の仕上げ材として天井や壁に使用される平板状ボードの周縁部を全周に亘り被覆することにおいて、一つの枠体にはその長手方向の両端に係止部が設けられているので、当該隣接する枠体の先端と後端における両係止部を手で押し込んで嵌合させることにより、ワンタッチ操作で係合させて枠体を首尾連結させることが出来る。
【０００９】
嵌合した係止部と側部の係合用凹部との結合作用が相俟って、隣接する枠体を連結するのみならず、回転やねじりにも抵抗して、ガタ付きの無いボード用枠体となる。また、枠体の本体部分には、緩み止め用の弾性片が設けられているので、当該枠体によって被覆されたボードのガタ付きを無くすものである。
【００１０】
本発明に係る仕上げ材の敷設方法によれば、所定間隔毎に背向して配設したフックの間に仕上げ材を嵌装させてカバーするだけで、ボード貼着対象部材の表面に仕上げ材が敷設されることになり、容易な敷設作業となる。
【００１１】
本発明に係る第２実施例のボード用枠体によれば、隣接する枠体のうち一方を他方に対して上方から、段差を持った爪部をこれに対応した爪用凹部に嵌合させることで水平力に対して強固に抵抗する枠体となり、また、一様な断面Ｌ字型をした本体枠体の底部の両端に設けられた嵌合突起及び嵌合凹部と、移動阻止部材及び移動阻止係合部材とによって、ボード用枠体の長手方向とそれに直交する方向への移動が阻止され、全体として強固な枠体となる。
【００１２】
【発明の実施の形態】
次に、本発明の第１実施例に係るボード用枠体について図面を参照して説明する。ボード用枠体１は、図１乃至図２に示すように、平板状のボードの周縁部を被覆するように、長手方向に沿ってボード厚に対応した図３に示すような断面コ字型で一様にされている。
【００１３】
そして、枠体１の長手方向の先端と後端には、係止部２と係止部３とが設けられている。先端の係止部２の構造は、図４乃至図５に示すように、枠体１の本体部分１ａの端面から内部へ所要範囲で、板厚の略半分程度に凹ませた凹部１ｂが形成され、該凹部１ｂに内外に貫通させた係止孔４が設けられている。
【００１４】
また、凹部１ｂの先端側に、係止突起５が、スリット５ａによって若干の可撓性が付与された弾性部材１ｃの外面から外側に向けて突設されている。このように、係止突起５と係止孔４とが前記本体部分１ａの凹部１ｂに設けられている。
【００１５】
更に、前記係止部２における、枠体の本体部分１ａにおいて長手方向に沿った両端部から略直交して延設された側部１ｄ，１ｅの内側端部には、当該側部の板厚を略半分に凹ませた係合用凹部６が設けられている。当該凹部６の角部は所望の角度（例えば４５°）で斜めにカットされ、テーパ部６ａにされている。
【００１６】
前記係止部３の構造は、図６乃至図７に示すように、本体部分１ａの長手方向における端部から、当該本体部分１ａに直交して延設された弾性部材１ｆと、該弾性部材１ｆに設けられた貫通孔７と、該弾性部材１ｆの先端内側から突設された係止突起８と、側部１ｄ，１ｅの外側端部に凹ませて設けた係合用凹部９と、でなるものである。また、前記テーパ部６に対応するテーパ部９ａが設けられている。
【００１７】
前記係止部２と係止部３との嵌合方法は、図８に示すように、例えば一例として、直交して首尾連結すべき枠体１の係止部２と他方の枠体１の係止部３とを突き合わせて、係止突起５を係止孔７に嵌合させ、係止突起８を係止孔４に嵌合させ、両枠体１，１の側部１ｄ，１ｅの各係合用凹部６と係合用凹部９とを摺接させて密に接合させ、緩み無く嵌合させるものである。
【００１８】
枠体１の本体部分１ａには、図１乃至図２に示すように、本体内壁から内側に突出された緩み止め用の弾性片１２が、長手方向に沿って一カ所又は複数箇所に設けられている。この弾性片１２は、枠体１がボードの周縁部の全周を被覆したときに、該ボードの側端面に当接して外側に押し返されることで付勢力が生じ、当該ボードの枠体１に対する緩みが防止されるものである。
【００１９】
以上のようにして形成される枠体１を首尾連結させることで、図９（イ）に示すように、所要厚さで四角形状の仕上げ用ボード１０の周縁部を被覆するものである。仕上げ用ボードは、四角形状に限らず、図９（ロ）に示すように、六角形状のボード１０ａで、枠体１１をそのボード周縁部に対応する片の長さと形状とにすればよい。このように、多角形状のボードに枠体１を適宜に対応させることが出来るものである。
【００２０】
また、図１０に示すように、枠体１１ａを四角形状のボード１０の２片に亘る長さ及び形状にすることもできる。このように、ボード１０の形状に合わせて、枠体の長さと形状とを変化させて、多様なバリエーションにすることができる。
【００２１】
次ぎに、木炭ボード等のボード１０の周縁部を枠体１で被覆した仕上げ材を、ボード貼着対象部材の表面である、例えば、天井表面に敷設する方法について説明する。
【００２２】
図１１に示すように、室内の天井１３に、ボード１０と枠体１とでなる前記仕上げ材Ａを、フック１４とカバー１５とで敷設する。この仕上げ材Ａを縦横の寸法を略４５ｃｍとして、断面形状が長手方向に一様なコ字型で金属製若しくは合成樹樹脂製のフック１４を、略４５ｃｍ間隔にして更に互いに背向させて配置する。そして、天井１３の表面にフック上部１４ｂを釘・ボルト等で固着して、フック１４を適宜数配設する。
【００２３】
前記フック１４間に、図１２乃至図１３に示すように、仕上げ材Ａをフック下部１４ｃに摺接させて差し込む。そして、フック１４の長手方向の端面開口部には、図１４に示すように、係合ボス部１４ａが設けられており、金属製若しくは合成樹脂製のカバー１５の係止用ボス１５ａを前記係合ボス部１４ａに嵌装させて、当該カバー１５を前記端面開口部に被せて蓋をする。符号１５ｂは、天井１３と仕上げ材Ａとの間隙空間のための換気用口を示している。
【００２４】
前記フック１４と、カバー１５若しくは枠体１との下面の取り合いは、図１４乃至図１５に示すように、フック下部１４ｃの巾分だけカバー下部１５ｃを、そのカバー本体端面から後退させてあり、互いに面一にして接合されるようにして、意匠上において見栄えを良くしてある。
【００２５】
本発明の第２実施例に係るボード用枠体２０は、図１６乃至図１７に示すように、全体が一様なＬ字型断面の形状にされ、本体部分２０ａの側壁部２０ｄの一部に、図１８に示すように、凹部２０ｂが設けられている。
【００２６】
本体部分２０ａの長手方向の両端部における係止部２１，２２は、図１９乃至図２０に示すように、互いに嵌合されて首尾連結されるものである。かかる前記係止部２１には、図２１に示すように、本体部分２０ａの底部２０ｃの端部に、嵌合突起２０ｅと嵌合凹部２０ｆとが設けられている。
【００２７】
また、本体部分の側壁部２０ｄの端部に、略上半分において長手方向に対する直交方向に、段差２０ｇを持った爪部２０ｈが延設されていると共に、該側壁部２０ｄの端部の下端部から、移動阻止部材である矩形状の係合突起２０ｉが垂設されている。
【００２８】
一方、前記係止部２１と嵌合係止される係止部２２には、図２１に示すように、側壁部２０ｄの端部に、その略上半分において前記爪部２０ｈに対応する爪用凹部２０ｊが設けられている。また、底部２０ｃの端部に、前記嵌合突起２０ｅに対応した嵌合凹部２０ｋと、前記嵌合凹部２０ｆに対応した嵌合突起２０ｍ、及び前記係合突起２０ｉに対応した移動阻止係合部材である係合凹部２０ｎが設けられている。
【００２９】
このように形成されるボード用枠体２０を互いに図２１及び図２２に示すように上方から差し込んで首尾連結し、矩形状の枠体２３を形成する。該枠体２３は、本体部分２０ａの爪部２０ｈと爪用凹部２０ｊとの嵌合作用、本体部分２０ａの底部２０ｃの嵌合突起２０ｅ，２０ｍ・嵌合凹部２０ｆ，２０ｋによる嵌合作用、更に、移動阻止部材２０ｉと移動阻止係合部材２０ｎとの係止作用により、ねじれ等に強い枠体ができあがる。その後、図２３に示すように、前記枠体２３を基板２４上に載置し、木炭ボードの原材料２５を該枠体２３内に直接流し込み、木炭ボードを成形する。本体部分２０ａの凹部２０ｂに原材料２５が流れ込み固化することで、木炭ボードが枠体に強固に保持されるものである。
こうして形成された木炭ボードを前記第１実施例と同様にして、図１１乃至図１２に示すように、天井等に敷設するものである。
【００３０】
【発明の効果】
以上説明したように、本発明に係るボード用枠体は、多角形状の平板体の周縁部を被覆する枠体であって、該枠体の長手方向の先端及び後端には、隣接した前記枠体における先端の係止部と後端の係止部とを嵌合させて首尾連結される係止部が設けられており、前記係止部は、隣接する相手側の端部に設けられた係合突起を係止する係止孔と、前記相手側の端部に設けられた係止孔に嵌合する係止突起とが設けられ、前記先端の係止部における枠体の本体部分において長手方向に沿った両端部から略直交して延設された側部の内側端部には、連結される相手側枠体における側部の外側端部に形成された係合用凹部と密に接合される係合用凹部が設けられて形成されているとともに、前記後端の係止部における枠体の本体部分において長手方向に沿った両端部から略直交して延設された側部の外側端部には、連結される相手側枠体における側部の内側端部に形成された係合用凹部と密に接合される係合用凹部が設けられて形成されているので、当該隣接する枠体の先端と後端における両係止部を手で押し込んで嵌合させることにより、ワンタッチ操作で係合させて枠体を首尾連結させることが出来るという優れた効果を奏するものである。また、嵌合した係止部と側部の係合用凹部との結合作用が相俟って、隣接する枠体を連結するのみならず、回転やねじりにも抵抗して、ガタ付きの無いボード用枠体となるという優れた効果を奏するものである。
【００３１】
前記枠体の本体部分には、緩み止め用の弾性片が設けられているので、当該枠体によって被覆されたボードのガタ付きを無くすことができるという優れた効果を奏するものである。
【００３２】
本発明に係る仕上げ材の敷設方法は、ボード貼着対象部材の表面に仕上げ材取付け用のフックを所要数で所定の間隔毎に互いに背向させて配設し、該フック間にボード用枠体で周縁部が被覆された仕上げ材を嵌装させ、フックの端面開口部にカバーを閉蓋する方法なので、ボード貼着作業が容易となると共に、小区画された仕上げ材により、敷設面積の大小に柔軟に対応させることが可能となるという優れた効果を奏するものである。
【００３３】
本発明のボード用枠体は、枠体の長手方向の先端及び後端に首尾連結させる係止部が設けられ、一方の係止部には、一様な断面Ｌ字型をした本体部分の底部の端から長手方向に沿って嵌合突起と嵌合凹部とが設けられると共に、該本体部分の側壁の端から略上半分において長手方向に対する直交方向に段差を持った爪部が延設され、該側壁の下端部から底部の長手方向の移動を阻止するが移動阻止部材が設けられ、他方の係止部には、側壁の端部の略上半分において前記一方の係止部における爪部に対応する爪用凹部が設けられ、一様な断面Ｌ字型をした本体部分の底部の端から長手方向に対する直交方向に沿って前記一方の係止部における嵌合突起と嵌合凹部とに各々対応する嵌合凹部と嵌合突起とが設けられ、及び、前記一方の係止部の移動阻止部材に係合する移動阻止係合部材が設けられているので、段差を持った爪部と爪用凹部に嵌合させることで水平力に対して強固に抵抗し、また、本体枠体の底部の両端に設けられた嵌合突起及び嵌合凹部と、移動阻止部材及び移動阻止係合部材とによってボード用枠体の長手方向とそれに直交する方向への移動が阻止され、全体としてガタ付きのない強固な枠体となる。
【図面の簡単な説明】
【図１】本発明に係るボード用枠体１の正面図である。
【図２】同本発明に係るボード用枠体の一部を破断して示す平面図である。
【図３】図１におけるＸ−Ｘ線に沿った断面図である。
【図４】本発明に係るボード用枠体の先端の係止部２の拡大正面図である。
【図５】同ボード用枠体の先端の係止部２の中央拡大断面図である。
【図６】同ボード用枠体の先端の係止部３の拡大平面図である。
【図７】同ボード用枠体の先端の係止部３の拡大側面図である。
【図８】本発明に係るボード用枠体による首尾連結する状態を説明する説明図（イ）、（ロ）である。
【図９】本発明に係るボード用枠体により周縁部を被覆されたボードからなる仕上げ材Ａの平面図（イ）と他の実施例に係る平面図（ロ）である。
【図１０】同本発明に係るボード用枠体の他の例を示す仕上げ材の平面図である。
【図１１】本発明に係る仕上げ材の敷設方法の一例を示す説明図である。
【図１２】同本発明に係る仕上げ材の敷設方法において、天井１３に配設したフック１４と仕上げ材Ａとの乾燥状態を示す一部断面図である。
【図１３】図１１の符号１６で示す部分の拡大斜視図である。
【図１４】同図１１の符号１７で示す部分の拡大斜視図である。
【図１５】同図１１の符号１８で示す部分の拡大斜視図である。
【図１６】同本発明の第２実施例に係るボード用枠体２０の平面図である。
【図１７】同本発明の第２実施例に係るボード用枠体２０の正面図である。
【図１８】同図１７におけるＹ−Ｙ線に沿った断面図である。
【図１９】同本発明の第２実施例に係るボード用枠体２０を嵌合させた状態の一部平面図である。
【図２０】同本発明の第２実施例に係るボード用枠体２０を嵌合させた状態の一部正面図である。
【図２１】同本発明の第２実施例に係るボード用枠体２０を互いに嵌合させる様子を示す説明図である。
【図２２】同本発明の第２実施例に係るボード用枠体２０を互いに嵌合させる様子を示す説明図である。
【図２３】同本発明の第２実施例に係るボード用枠体２０に木炭ボードの原材料を流し込んで木炭ボードを形成する方法を示す説明図である。
【符号の説明】
１  ボード用枠体、１ａ  本体部分、１ｂ  凹部、１ｃ  弾性部材、
１ｄ，１ｅ  側部、１ｆ  弾性部材、２，３  係止部、４  係止孔、
５  係止突起、６  係合用凹部、６ａ  テーパ部、７  貫通孔、
８  係止突起、９  係合用凹部、９ａ  テーパ部、
１０  仕上げ用ボード、１０ａ  六角形状のボード、１１  枠体、
１２  弾性片、１３  天井、１４  フック、１４ａ  係合ボス、
１４ｂ  フック上部、１４ｃ  フック下部、１５カバー、
１５ａ  係止用ボス、１５ｂ  換気用口、１５ｃ  カバー下部、
２０  ボード用枠体、２０ａ  本体部分、２０ｂ  凹部、２０ｃ  底部、
２０ｄ  側壁部、２０ｅ  嵌合突起、２０ｆ  嵌合凹部、２０ｇ  段差、
２０ｈ  爪部、２０ｉ  移動阻止部材（係合突起）、２０ｊ  爪用凹部、
２０ｋ  嵌合凹部、２０ｍ  嵌合突起、
２０ｎ  移動阻止係合部材（係合凹部）、２１，２２  係止部、２３  枠体、
２４  基板、２５  原材料。
【図１】
0004382195.tif 000002
【図２】
0004382195.tif 000003
【図３】
0004382195.tif 000004
【図４】
0004382195.tif 000005
【図５】
0004382195.tif 000006
【図６】
0004382195.tif 000007
【図７】
0004382195.tif 000008
【図８】
0004382195.tif 000009
【図９】
0004382195.tif 000010
【図１０】
0004382195.tif 000011
【図１１】
0004382195.tif 000012
【図１２】
0004382195.tif 000013
【図１３】
0004382195.tif 000014
【図１４】
0004382195.tif 000015
【図１５】
0004382195.tif 000016
【図１６】
0004382195.tif 000017
【図１７】
0004382195.tif 000018
【図１８】
0004382195.tif 000019
【図１９】
0004382195.tif 000020
【図２０】
0004382195.tif 000021
【図２１】
0004382195.tif 000022
【図２２】
0004382195.tif 000023
【図２３】
0004382195.tif 000024